(57)【要約】例としてサービスオプションフィールド（３１）の一部分（４２）のような送信されたメッセージ部分は符号化表現（６３，６４）を含む。前記符号化表現は受信ユニット（１２，１３）に保存されている予め格納されている情報（６１，６２）と関連付けることができる。前記符号化表現（６３，６４）を受信すると、前記受信ユニットはそれを使用して予め格納されている情報（６１，６２）の特定の項目にアクセスした後、その情報を使用する。例えば、実際の呼が完全に開始する前に相互接続またはディスパッチの呼接続の方法が開始されるように、予め格納されているテキストメッセージを表示したり、かつ／または特別な報知音を使用して特定のイベントを知らせる。一実施形態において、前記符号化表現に対応する関連送信局も同様に、前記符号化表現を特定の情報内容の項目と関連付けることを支援するように使用され得る。
2006504295.tif 000002
【特許請求の範囲】
【請求項１】
サービスオプションフィールドを含む無線共通エアインターフェースを有する無線通信システムにおいて使用する方法であって、
サービスオプション表示に対して、サービスオプションフィールドのうちの全てではなく、その内の一部を使用する工程と、
非サービスオプション情報表示に対して、前記サービスオプションフィールドの残余部分の内の少なくとも一部分を使用する工程とを備える方法。
【請求項２】
非サービスオプション情報表示に対して、前記サービスオプションフィールドの残余部分の内の少なくとも一部分を使用する工程は、符号化表現を提供するために前記サービスオプションフィールドの残余部分の内の少なくとも一部分を使用する工程を含む、請求項１記載の方法。
【請求項３】
前記符号化表現の内の少なくともいくつかは各々、複数の一意である情報内容の内の一つに対応する、請求項２記載の方法。
【請求項４】
ユーザに伝えるための特定の情報内容を含む特別なメッセージを選択する工程と、
前記特定の情報内容を表す符号化表現の内の特定の符号化表現を組合わせて送信するために、前記特定の符号化表現と、前記特定の符号化表現を含む特定の対応するタイムスロットとを識別する工程とを更に備える、請求項３記載の方法。
【請求項５】
前記複数の一意である情報内容は、少なくともいくつかの所定の情報内容を含み、前記所定の情報内容は、少なくともいくつかの前記無線通信システムのユーザに対応する識別情報を含む、請求項３記載の方法。
【請求項６】
ユーザ装置において、サービスオプション内容のために予約された部分を含む無線通信を受信する工程と、
前記サービスオプション内容のために予約された部分から、非サービスオプション内容の符号化表現を備える部分を抽出する工程とを備える方法。
【請求項７】
前記符号化表現を使用して、ユーザ装置において予め格納された前記符号化表現に対応する情報内容を抽出する工程を更に備える、請求項６記載の方法。
【請求項８】
ユーザ装置において前記情報内容の少なくとも一部分を表示する工程を更に備える、請求項７記載の方法。
【請求項９】
複数の情報項目を提供する工程と、
前記複数の情報項目の内の少なくともいくつかを、対応する符号と、対応する関連送信局との双方に関連付ける工程とを備える方法であって、
前記対応する符号の内の少なくとも一部は一つ以上の対応する情報項目に関連しており、
符号および関連送信局の任意の組合わせは、一つの対応する情報項目のみに関連する、方法。
【請求項１０】
前記対応する符号は無線通信のサービスオプション部分の内の一部分を備える、請求項９記載の方法。
【請求項１１】
前記関連送信局は、無線通信を構成する一連のタイムスロットにおいて、特定のタイムスロットを備える、請求項９記載の方法。
【請求項１２】
ユーザに伝えるための特定の情報内容を含む特別なメッセージを選択する工程と、
前記符号の内の特定の符号と、前記特定の情報内容を組合わせて表す特定の関連送信局とを識別する工程と、
前記特定の関連送信局を使用して、前記符号の内の特定の符号を送信する工程とを更に備える、請求項９記載の方法。
【請求項１３】
前記特定の関連送信局を使用して、前記符号の内の特定の符号を送信する工程は、前記符号の内の特定の符号を含むサービスオプションフィールドを送信する工程を含み、前記サービスオプションフィールドは前記特定の関連送信局を使用して送信される、請求項１２記載の方法。
【請求項１４】
ユーザ装置において符号を含む無線通信を受信し、符号は特定の関連送信局において受信される工程と、
前記符号と前記特定の関連送信局に関する情報とを使用して、前記ユーザ装置において予め格納された特定の情報内容の項目を識別する工程とを備える方法。
【請求項１５】
前記特定の関連送信局は、無線通信内に特定のタイムスロットを備える、請求項１４記載の方法。
【請求項１６】
無線通信システムに使用する方法において、
制御通信路上で制御メッセージを受信して特定の呼接続の方法を開始する工程と、前記制御メッセージは符号化表現を含むことと、
前記符号化表現を使用して、前記符号化表現に関連する発信者の情報をローカルメモリから抽出する工程と、発信者の情報は前記制御メッセージの発信者に一意に関連することと、
少なくとも部分的に平行して行う工程であって、
報知シーケンスを開始することであって、前記報知シーケンスは特定の呼接続の方法に対応していることと、
情報チャネルに移動し、ハンドシェイクプロトコルに参加して発信者による前記特定の呼接続の方法を促進することとを少なくとも部分的には平行して行う工程とを備える方法。
【請求項１７】
前記符号化表現を使用することは、前記符号化表現を使用して、前記特定の呼接続の方法と同様である、取り出された呼接続の方法の情報をローカルメモリから抽出する工程を含む、請求項１６記載の方法。
【請求項１８】
前記ハンドシェイクプロトコルが最初に完了する前に、少なくとも発信者の情報の一部分が表示される工程を更に備える、請求項１６記載の方法。
【発明の詳細な説明】
【技術分野】
【０００１】
本発明は概して通信システムに関連し、より詳細には符号化表現の送信および受信に関連する。
【背景技術】
【０００２】
無線通信システムのような、通信システムは当技術分野において周知である。例えば、ＣＤＭＡ２０００方式のようなシステムの多くは比較的、高性能であり、無線電話、ディスパッチ処理およびショートメッセージサービスをはじめとする、広範囲に渡る様々なサービスの可能性や呼接続の方法を提供している。そのようなシステムに対して設計上、比較的常に必要とされるのは、可能な限り多くのユーザをシステムに収容するということである。この目的のために、システム設計者は、多くの場合、そのシステムによって円滑に行われる通信に要するシステム資源の必要性を最小限に抑えようとしている。例えば、任意の情報内容の送信をサポートするために要する資源（例えば、通信時間、かつ／または帯域幅）を最小に抑えると、その節約した資源が更に別の呼にも使用可能なことから、通常は好ましいことである。別の例では、必要なまたは典型的な非ユーザによる任意の通信資源のペイロードの使用を最小限に抑えることも、通常は好ましいことが多い。
【０００３】
多様なサービスを結合することによって、所与のユーザ人口に必要なシステム資源全体を削減できる可能性がある程度は進展する。例えば、ショートメッセージサービスを提供することで、（ショートデータメッセージは通常、システム資源をほとんど必要としないことから）少なくともいくつかの電話サービスによる呼接続の方法を回避する可能性を提供する。しかしながら、それと同時に、任意ののユーザベースをサポートするために要するシステム資源全体を更に削減することも、依然、同様に継続して必要である。
【発明を実施するための最良の形態】
【０００４】
上記において説明された必要性は、以下に続く詳細な説明、特に図面と関連して考察する場合において説明される情報符号化および復号化方法を提供することにより、少なくとも部分的には満たされる。
【０００５】
図面における要素は、説明を単純および明快にするために表されたもので、必ずしも実際の縮尺に沿って描かれていないことは、当業者により認識されるであろう。例えば、図面にあるいくつかの要素の寸法は、本発明の様々な実施形態を理解し易くするために、他の要素と比較して誇張して描かれているものもある。同様に、商業上実現可能な実施形態において、有用、または必要であると思われる代表的ではあるが、十分に理解されている要素については、通常これらの本発明の様々な実施形態を平易な障害物のない図面とするために、描写されていない。
【０００６】
概して、符号化表現は、これらの様々な実施形態に従って、目的の受信対象に保存された情報内容と関連付けられている。前記符号化表現を受信すると、その受信対象は前記符号化表現を利用して情報内容を確認する。その情報は、様々な種類のデータをユーザに供給し、かつ／またはその他には通信システム内において目的の受信対象の動作を助ける等の多様な目的を果たす。
【０００７】
一実施形態において、一つの定義されたサービスオプションフィールドは符号化表現を含む。前記サービスオプションフィールドの一部分は、サービスオプション情報を表し続ける一方で、残りの部分は符号化表現（複数の符号化表現）を示す。このように設定することで、例えばＣＤＭＡ２０００のようなシステムでは、事実上、何万という別々の情報
項目を上記の方法によって容易に表すことができる。別の実施形態では、個々の情報項目は任意の符号化表現と関連送信局との両方に関連付けられている。例えば、所与の符号化表現は、第一の情報項目が第一の関連送信局を使用して送信された場合、前記第一の情報項目を関連付けるが、第二の情報項目が第二の関連送信局を使用して送信された場合、前記第二の情報項目を関連付けるであろう。一実施形態において、関連送信局は任意のタイムスロットを含み、前記符号化表現は任意のタイムスロット内で送信される。
【０００８】
このような符号化表現は、様々な方法でシステム要求を削減するように機能することができる。例えば、単に符号化表現に相当な長さかつ／または複雑になる可能性のある様々なテキストメッセージを容易に伝達させることによって、相当な帯域幅を確保することができる。上記に関連して、特定の符号化表現に関連する特定の情報項目は、個々のユーザ毎によって変化し、この方法による圧縮を更に高効率で行う。
【０００９】
必要に応じて、そのような符号化表現を使用して、ユーザを任意の新たな呼に関与させるのを促進したり、またはユーザが任意の新たな呼に関与するのに要する時間を短縮したりすることが可能である。詳細に説明すると、符号化表現を使用して、特定の呼接続の方法である新たな呼の発信者のみに一意の情報を提供することによって、通信ユニットは、情報チャネルに移動することと、その他の方法で特定の呼接続の方法を促進するためのハンドシェイクプロトコルに参加することとを、少なくとも部分的に同様に平行して行いながら、特定の呼接続の方法のみに対応する一意の報知シーケンスを開始することができる。そのように構成されることによって、受信者は実際に新しい呼が情報チャネルに設定される前に報知され得る。
【００１０】
この事前の報知は、受信者によって様々な方法で使用されている。例えば、受信者は通信するために自分自身の準備をすることができる。直感的には一意の報知音によってなされる、このユーザの一部分に関する些細な行動の修正によって、全ての通信路の使用において、システム全般に渡る多大な節約をもたらし得る。別の実施形態では、受信ユニットは、呼設定が完了する前に符号化表現に対応する取り出された情報を表示することができる（例えば表示された情報は、発信者の電話番号、発信者の電子メールアドレス、かつ／または電子メールの主題見出しである）。そのような情報は受信側よって再び使用することができ、実際に呼設定の処理を完了する前の有効な利点となる。
【００１１】
ここで図面を参照する。詳細には図１を参照すると、本願において説明されている本質的概念は、多様な通信システムおよびネットワークにおいて実施可能である。これらの概念を説明するために、例えばＣＤＭＡ２０００のような無線通信システム１０は、様々な移動ユニット１２，１３、他の契約者およびサービス（例えば、他の移動契約者、かつ／または有線契約者）間の通信を可能にする１つ以上のベースサイト１１を有する。例えばベースサイト１１は、ショートメッセージサーバ１５にあるメッセージが一つ以上の前記移動ユニットに送信されるように、ネットワーク１４を選択して接続することができる。そのようなシステムは一般に、当技術分野において十分理解されていることから、本願において説明の簡略化および本願の主題への焦点を維持するために、更なる詳細な説明は提示されない。
【００１２】
そのようなシステム１０において、任意の無線周波数資源は時分割多重化される（例えば周波数分割多重化、または符号分割多重化のような、その他の多重化方式も、同時に使用され得る）。図２を参照すると、通信路は時間によって複数のスロットに細分され、例として、八個のスロット２０に細分されている。フレームは第一スロット２１に始まり、第八スロット２２で終了する。この特定の実施形態では、これらのスロットの内容全体は全て、制御通信路の内容または制御通信路の内容とユーザペイロードとの混合したものに充てられる。前記スロット自体は一度に送信されるように実質的に同期化されており、シ
ステムの様々な参加者は前記スロットが送信される時間を実質的に予測することができる。（スロット数は必要に応じて、かつシステム要求によって変化することを理解されたい。実際に多くのシステムでは八個以上のスロットを利用し得る。しかしながらこの例では、単純化するために八つのスロットのみを示している。）
上述したように、このようなスロット２０の各々は、制御通信路の内容をいくつか含む。図３を参照すると、これらの実施形態の多くに従って、各制御通信路３０は、少なくともサービスオプションフィールド３１と、好ましくは、その他のデータ３２も同時に含む。これらの制御通信路の特徴は、当技術分野において十分に理解されていることから、特定の実施形態を更に説明するのに有用である場合以外には、本願においてこれ以上の詳細な説明を控える。これらの具体的な実施形態を説明するために、１６ビットを備えるサービスオプションフィールド３１を図４に示す。ＣＤＭＡ２０００のようなシステムにおけるサービスオプションフィールド３１の目的は、任意の呼に特定的なプロトコル情報が与えられ得る空間を提供することである。例えば、前記サービスオプションフィールド３１は、現行の実施形態に従い、（特定のタイプのボコーダを使用して）任意の呼が音声呼なのか、またはデータ呼なのかを表示するために使用される。一般に、そのようなフィールド３１に１６ビットが与えられてはいるが、実際には、ごく僅かなサービスオプションしか定義され、割り当てられていない。従って、サービスオプションフィールド３１の残りの大部分は、現在のところ本質的に未使用のままである。
【００１３】
本実施形態に従って、一部分のサービスオプションフィールド３１は、引き続きサービスオプション表示ビット４１に予約され、残りの部分がここで非サービスオプション表示ビット４２を保有するように機能する。具体的には、以下においてより詳細に説明するように、前記非サービスオプション表示ビット４２は符号化表現を含むことができる。好ましくは前記サービスオプションフィールドの大部分が、符号化表現を含むために分割される。図面に示す実施形態では、４ビットがサービスオプションの表示に予約され、残りの１２ビットが一つ以上の符号化表現に利用可能である。そのような割り当てによって、何万もの符号化表現のための空間を確保することができる。
【００１４】
以下に示すように、制御通信路の部分として備わるサービスオプションフィールド内に含まれるそのような符号化表現は、システムのインフラストラクチャによって提供され、移動ユニット１２によって受信され、使用される。図５を参照すると、そのような移動ユニットは多様なユーザプラットフォームを備えることができるが、当技術分野において十分に理解されているように、通常はシステム１０の通信媒体と互換性のある送受信機５２と連携して機能する処理ユニット５１（例えば、マイクロプロセッサ、マイクロコントローラ、プログラム可能なゲートアレイ、または他の論理ベースのプログラム可能なプラットフォーム）を含む。更にそのような移動ユニット１２はディスプレイ５３および可聴警報器５４を含むことができる。また、一つ以上のメモリ５５も、通常は提供され得る。そのようなメモリ５５は、以下において詳細に説明されるが、移動ユニット１２のオペレーティングソフトウェアかつ／または動作パラメータの保存に加えて、前記情報内容および関連する符号化表現を含むために使用することができる。そのように設定されることで、移動ユニット１２は情報を受信し、符号化表現を解読すると、メモリ５５から取り出した情報を表示し、警報器５４は多様な符号化表現に従って特定の音を提供することができる。
【００１５】
これまでに既に言及されていることだが、符号化表現は、受信ユニットを対応する情報内容の項目に導く鍵として使用され得る。上記を成し得るには様々な方法がある。一実施形態に従い、ここで図６を参照すると、各個の符号化表現はそれぞれ、情報内容と一意に関連付けられる。例えば、ビット列「０００００００００００１」を備える第一符号６３は情報内容の第一項目６１に対応し、その他の情報内容には対応しない。同様に「１１１１１１１１１１１１」の値を備える別のビット列６４は、情報内容の第Ｎ項目に一意に対
応し得る。これらの例において、前記情報内容は英数字の情報（テキストを含む）、画像項目、音声ファイル、または表示するためにおよび媒体に伝えるその他の情報を備え得る。一般に情報内容自体、および様々な符号と対応する関連性は、システム１０のインフラストラクチャ側と移動ユニット側の両方において、少なくとも部分的に予め決定され、保存され得る。
【００１６】
簡単な例として、上記において記した情報内容の第一項目は、「ＡＢＣ株は、上昇した」というテキストメッセージを含むものとする。対応する符号６３を送信することによって、この情報内容は実質的に移動体ユーザへ伝達される。受信に際して、この例では符号６３を用いて指定されたメッセージ６１がメモリから取り出され、表示される。このような方法によって多様なテキストメッセージを収容することが可能である。更にこの例において、情報内容の項目６１は不完全であることも同様に注目すべきである。必要に応じて、符号化表現６１は、例として前記情報内容の結論に位置する値を備える引数と共に送信されることが可能である。例えば、値「１．５」を引数として送信可能である。受信ユニットは前記符号６３を用いてメッセージ「ＡＢＣ株は、上昇した」を取り出し、続いて前記メッセージと引数「１．５」を合成して「ＡＢＣ株は、１．５％上昇した。」という完全なメッセージを生成する。このように構成されることによって、実際に特定的な情報を送信するのに最低限必要とされる条件のみで、より広範囲に及ぶ多様なメッセージ内容を伝達することが可能である。
【００１７】
多様な情報の項目は、上記において説明されたように保存される。以下にその実例をいくつか示す。
株に関する情報
会議に関する情報
不動産取引に関する情報
航空機のフライト／フライト状況に関する情報
スポーツイベントに関する情報
天気予報／概況に関する情報
システムユーザに関する情報
呼または呼接続の方法に関する情報
様々な挨拶の言葉、対話による発言、および質問
任意の監視された個人、家屋または事件に関する情報等がある。
【００１８】
今回説明したような実施形態において、符号化表現はそれぞれ、唯一の情報内容の項目に対応する。任意の符号化表現は、符号化表現と組み合わせて一つの情報項目のみを識別することができるような変数パラメータを追加することによって、情報内容の個々の項目の内、複数の項目に対応することも可能である。例えば、ここで図７を参照すると、任意の符号７１はその符号自体、八つの異なる情報内容の項目に対応する。以前に図２を参照して説明したように、制御通信路（および、結果としてサービスオプションフィールド）は、任意の複数の時分割多重化スロットに送信され得る。情報内容の項目を、特定の符号７１および特定のタイムスロットの両方に関連付けることによって、結果として一意の情報内容の項目が識別され得る。
【００１９】
例えば、上記の符号７１が第一スロット７２の間に送信されると、受信ユニットは、第一の情報内容の項目７３が識別されていることを理解することができる。同様に、上記の符号７１が第五のタイムスロットの間に送信されると、第五の情報内容の項目７５が識別される。
【００２０】
本願において提供される例では、情報内容の項目を区別するために八つのタイムスロットが使用可能であることから、八つまでの情報内容の項目を各個の符号化表現と関連付け
ることができる。上記の数は、より多くの、またはより少ないタイムスロットを収容するようにスロットの数を適宜調整することができる。更に加えて、この例にあるタイムスロットは特定の関連送信局（または受信局であり、見る人の観点に依存する）を説明するために使用されており、他の関連送信局も使用可能であることを理解されたい。例えば、円滑に任意の送信を行うために使用される特定の無線周波数搬送波または直交可変拡散符号も、同様の方法によって使用することができる。また、この方法によってタイムスロットを使用する際、任意のタイムスロットは特定の一意の連続する番号（例えば「スロット４」）、スロットオフセット値（例えばスロット４を識別するための「３」、ここで「３」は、最初のスロットから三番目のスロットが識別されているスロットであることを示す。）、またはその他の便利であり、かつ正確な識別機構または識別の実施によって識別が可能であることも明らかである。
【００２１】
図８を参照すると、上記において説明された構成によって、、前記インフラストラクチャは特定のユーザまたはユーザのグループに向けた特定の情報内容を選択することができ（８１）、続いて特定の情報内容と所定の対応する関連性を有する符号化表現を識別することができる（８２）（格納形態が選択されている場合、対応する関連送信局も、共に識別する（８３））ことが明らかとなるはずである。選択された符号化表現はその後、サービスオプションフィールドの設定を完了するために適用され得る任意の適切なサービスオプションの表示と組み合わされ、サービスオプションフィールドは、続いて意図する受信者（同様に実施形態が表されている場合、関連送信局は当然ながら考慮されている）に送信される（８５）。
【００２２】
図９を参照すると、同様に、そのような送信が受信ユニットに受信されると、サービスオプションフィールドは受信され（９１）、符号化表現はそこから抽出される（９２）（その情報が対応する情報内容の識別を完了するのに必要な場合、関連受信局も同様に判定される（９３））。受信ユニットは前記符号化表現（および適用できる場合には関連送信局）と関連する、予め格納されている情報内容にアクセスし（９４）、取り出された情報はその後、適宜使用される。例えば、前記取り出された情報のテキスト部分は表示することができ（９５）、かつ／またはその情報は対応する報知が行われるために使用される。
【００２３】
ここで図１０を参照すると、これらの実施形態は、上記において説明されたデータ圧縮を超えた利点を得るような付加的な方法において使用され得る。具体的には、そのような符号化表現は、特定の種類の情報を、受信者側に早期に提供することを促すために使用され、それによってユーザおよびシステムの双方に有用な影響を与える動作を支援する。例えば、（現在、多くの先行技術であるシステムにおいて行われているように）特定の呼接続の方法を開始するための制御メッセージを受信すると（１０１）、受信ユニットは、上記において別に説明したように、符号化表現を抽出することが可能である（１０２）。この符号化表現は、同様に予め格納されている情報にアクセスする（１０３）ために使用される（例えば、必要に応じて、受信ユニットは前記呼接続の方法を判定し（１０４）、その後、そのシステムにとって標準的な時間よりも早い時点で前記呼が確立されるように、符号化表現は、特定の呼接続の方法と関連することができる。受信ユニットはその後、接続が確立される過程にある特定の呼接続の方法も報知する（１０６）一方で、（例えば、割当てられた情報チャネルに移動すること、ハンドシェイクを行うこと、および特定の呼接続の方法を特徴付ける他のプロトコル要素によって）少なくとも部分的に平行して通常の呼設定の手順（１０５）も行う。例えば電話番号や、呼を開始しようとする相手の身元を確認する他の情報を表示するように、情報に対応して表示される（１０７）。前記呼はその後、通常の過程で開始される（１０８）。
【００２４】
特定の呼接続の方法は、一例としてディスパッチ通信があり、符号化表現はその呼接続の方法の識別情報を含み得る。受信ユニットは前記呼接続の方法である情報を使用して、
ディスパッチ通信の開始を特定的に識別する一意の可聴音を発する。前記受信ユニットは、符号化表現が発信元ユーザを円滑に識別できる情報も提供していることを前提として、発信元ユーザかつ／または、ユーザまたはユーザのディスパッチグループを表す別名に対する無線ＩＤも表示することができる。
【００２５】
特定の呼接続の方法の別の例として、電話による相互接続通信もあり得る。符号化表現は電話番号のような、発信者の情報を提供するために使用される。受信ユニットはこの情報を表示する目的で使用し、発信者のＩＤを円滑に提示する。前記受信ユニットは、通常の過程において受信者に相互接続呼が進行中であり、発信者の身元情報が表示され、確認可能であることを知らせるための警報（同様にここにおいても特定の可聴音が使用され得る）を実際に鳴らす前であっても、発信者のＩＤを提示している。
【００２６】
このように発信者の情報が提供されることで、実際に呼自体が形式的に開始される前であっても、様々な呼の開始に関する有用な情報が受信者に利用可能になることが理解される。これは呼設定がなされる間の僅かな間隔を使用して少量のデータを受信者に送信し、前記少量のデータが受信ユニットに保存されている相当量の以前から存在するデータを識別するように機能する結果である。
【００２７】
これらの多様な実施形態および構成を通して、システム資源は、これまで一般的に可能とされていた効果よりも、より大きな効果を得ることができる。
上述の実施形態に関して、本発明の範囲と精神を逸脱することなく種々の修正、変更および組合わせが可能であり、そのような修正、変更および組合わせは、本発明概念の範囲にあると見なされることは当業者により認識されよう。
【図面の簡単な説明】
【００２８】
【図１】本発明の実施形態に基づいて設定されたブロック系統図。
【図２】本発明の実施形態に基づいて設定されたタイムスロット通信の概略図。
【図３】本発明の実施形態に基づいて設定された制御通信路の概略図。
【図４】本発明の実施形態に基づいて設定されたサービスオプションフィールドの概略図。
【図５】本発明の実施形態に基づいて設定された移動ユニットのブロック系統図。
【図６】本発明の実施形態に基づいて設定された情報内容に関連付けられた符号化表現の説明図。
【図７】本発明の実施形態に基づいて設定された符号化表現と関連送信局との両方に関連付けられた情報内容の説明図。
【図８】本発明の実施形態に基づいて設定された送信情報の流れ図。
【図９】本発明の実施形態に基づいて設定された受信情報の流れ図。
【図１０】本発明の実施形態に基づいて設定された受信情報の流れ図。
【図１】
2006504295.tif 000003
【図２】
2006504295.tif 000004
【図３】
2006504295.tif 000005
【図４】
2006504295.tif 000006
【図５】
2006504295.tif 000007
【図６】
2006504295.tif 000008
【図７】
2006504295.tif 000009
【図８】
2006504295.tif 000010
【図９】
2006504295.tif 000011
【図１０】
2006504295.tif 000012
【国際調査報告】
2006504295.tif 000013